(57)【特許請求の範囲】
【請求項１】
ハンドセット本体に対して骨伝導スピーカユニットが防振資材製スピーカ取付部材を介して取り付けられるハンドセットであって、前記スピーカ取付部材は、前記ハンドセット本体と前記スピーカユニットの対向面に対し直交状態に配置されて前記ハンドセット本体と前記スピーカユニットを離隔する連結部と、前記連結部の両側に一体に形成されて前記連結部と直交方向に延びる側板とから成ることを特徴とする骨伝導型ハンドセット。
【請求項２】
前記連結部は平板状である請求項１に記載の骨伝導型ハンドセット。
【請求項３】
前記連結部は断面が凹レンズ状である請求項１に記載の骨伝導型ハンドセット。
【請求項４】
前記連結部は可撓性を有するものである請求項１に記載の骨伝導型ハンドセット。
【請求項５】
前記スピーカ取付部材は断面がＨ字状である請求項１に記載の骨伝導型ハンドセット。
【請求項６】
前記スピーカユニットと前記ハンドセット本体に、それぞれ前記側板の係止手段が設置される請求項１に記載の骨伝導型ハンドセット。
【発明の詳細な説明】
【技術分野】
【０００１】  本発明は骨伝導型ハンドセット、より詳細には、スピーカとして骨伝導スピーカを用いる電話機のハンドセットに関するものである。
【背景技術】
【０００２】  骨伝導スピーカは、音声信号を空気振動ではなく頭骨の振動として伝えるもので、外部騒音の影響を受けにくく、難聴者の使用にも適するところから、広く通信機器に用いられている。【０００３】  この骨伝導スピーカは一般電話機にも用いられてきているが、その場合、骨伝導スピーカの振動がハンドセットに伝達されてハウリングを起こすことを回避するために、骨伝導スピーカは、適度な防振性を有するプラスチック、ゴム等の弾性板を介してハンドセット本体の一端部に固定される。【０００４】  図９は、従来のハンドセット本体に対する骨伝導式のスピーカユニットの取付方法の一例を示すもので、それは、スピーカユニット３３とハンドセット本体３１の間に、スピーカユニット３３とハンドセット本体３１の双方に面接触するように弾性板３２を配在せしめたものである。かくして通話時に、この弾性板３２の防振作用により、スピーカユニット３３の振動が極力ハンドセット本体３１に伝わらないようにしている。【０００５】  このような従来のスピーカユニットの取付方法によった場合、弾性板の作用である程度のハウリングは防止されるが、弾性板がスピーカユニットとハンドセット本体双方に広く面接触している関係上、スピーカユニットのアイソレーションが十分ではなく、特に出力を大きくした場合に満足のいくハウリング防止効果が達成されておらず、また、音漏れが大きくなるという問題もある。
【特許文献１】特開２００３−３４８２０８号公報
【特許文献２】特願２００２−３５２０００号
【発明の開示】
【発明が解決しようとする課題】
【０００６】  本発明は、上記従来の骨伝導式スピーカユニットの取付方法における欠点に鑑みてなされたものであって、ハンドセット本体に対するスピーカユニットのアイソレーションが十分であるため、出力を大きくした場合においてもハウリングが起こりにくく、且つ、音漏れが少なく、しかも使用感のよい骨伝導型ハンドセットを提供することを課題とする。
【課題を解決するための手段】
【０００７】
本発明は、ハンドセット本体に対して骨伝導スピーカユニットが防振資材製スピーカ取付部材を介して取り付けられるハンドセットであって、前記スピーカ取付部材は、前記ハンドセット本体と前記スピーカユニットの対向面に対し直交状態に配置されて前記ハンドセット本体と前記スピーカユニットを離隔する連結部と、前記連結部の両側に一体に形成されて前記連結部と直交方向に延びる側板とから成ることを特徴とする骨伝導型ハンドセット、を以て上記課題を解決した。
【０００８】  前記連結部は平板状又は凹レンズ状等とすることができ、好ましくは、可撓性を有するものとされる。【０００９】
好ましくは、前記スピーカ取付部材は断面がＨ字状にされ、前記スピーカユニットと前記ハンドセット本体に、それぞれ前記側板の係止手段が設置される。
【発明の効果】
【００１０】  本発明に係る骨伝導型ハンドセットの場合、スピーカ取付部材は、ハンドセット本体とスピーカユニットの対向面に対し直交状態に配置されてハンドセット本体とスピーカユニットを離隔する連結部を有していて、ハンドセット本体とスピーカユニットはこの連結部のみを介して連結されているので、ハンドセット本体に対するスピーカユニットのアイソレーションは十分なものとなり、その振動はハンドセット本体に伝わりにくくなる。そのため、出力を大きくしてもハウリングが起こりにくく、また、音漏れも生じにくいものとなる。【００１１】  請求項４に記載の発明の場合は、スピーカユニットが首振り可能となるため、側頭部の当接面に対応してスピーカユニットの角度を変えることができるので、使用時におけるフィット感が向上する。
【発明を実施するための最良の形態】
【００１２】  次に本発明を実施するための最良の形態につき、添付図面に依拠して説明する。【００１３】  図１は、本発明に係る骨伝導型ハンドセットの構成例を示す側面図（内部機構の図示省略）、図２はその分解斜視図で、該骨伝導型ハンドセットは、ハンドセット本体１とスピーカ取付部材２を介してハンドセット本体１に取り付けられる骨伝導式のスピーカユニット３とから成る。図示してないが、ハンドセット本体１内には、必要な機器が適宜組み込まれ、また、コード等が接続される。【００１４】  図１及び図２に示されるスピーカ取付部材２は断面がＨ字状を呈していて、ハンドセット本体１の内側面に係止される本体側係止板４と、スピーカユニット３の側面に係止されるスピーカ側係止板５と、本体側係止板４とスピーカ側係止板５とを連結する連結部６とから成る。【００１５】  なお、各係止板４、５は、連結部６の端部をハンドセット本体１及びスピーカユニット３に固定する便宜上設けられるもので、必須のものではなく、連結部６の端部を直接、ハンドセット本体１並びにスピーカユニット３に固定することもできる。【００１６】  両係止板４、５を設ける場合、スピーカ取付部材２はＨ字形状に限らず、連結部６が、上方又は下方に片寄ったもの（図３Ａ）、本体側係止板４とスピーカ側係止板５が反対方向にずれたもの（図３Ｂ）等であってもよい。また、連結部６は普通平板状であるが、湾曲板であってもよいし（図３Ｃ）、また、中央部が窪んだ凹レンズ状であってもよい（図３Ｄ）。更に、連結部６は部分的に中空にすることもある（図３Ｅ）。【００１７】  スピーカ取付部材２は、従来の弾性板と同様の、適度な防振性を有するプラスチック又はゴム等の弾性資材製であり、連結部６は可撓性を備えていることが好ましい。その場合は、スピーカユニット３が首振り可能となって、使用時のフィット感が向上する。【００１８】  ハンドセット本体１には、その上部に本体側係止板４を係止するための固定手段７が設置され、また、スピーカユニット３には、スピーカ側係止板５を固定するための固定手段８が設置される。次に、これらの固定手段７、８の具体例につき、図４乃至図６を参照しつつ説明する。【００１９】  図４において１０、１１は、互いに合わさって筐体を構成するスピーカケースで、図示した例では、２つの骨伝導スピーカ１２が内蔵される。【００２０】  スピーカ取付部材２における本体側係止板４とスピーカ側係止板５は、図５に示されるように、四角形の４隅を切除した形状とされ、各係止板４、５には、それぞれ位置決め孔１２、１３が、それぞれ通例２個穿設される。【００２１】  スピーカ側係止板５の位置決め孔１３は、スピーカケース１１の外側面に突設される位置決め用の突部１４に対応するもので、組立時に位置決め孔１３内に突部１４が嵌入する。また、スピーカケース１１には、突部１４を挟んで４つのメネジ筒１５が突設される。このメネジ筒１５の突設位置は、スピーカ側係止板５の４隅の切除部の位置に対応し、その高さはスピーカ側係止板５の厚さに対応したものとされる。従って、組立てに当たり、位置決め孔１３内に突部１４を嵌入させることによってスピーカ側係止板５をセットした際、メネジ筒１５がスピーカ側係���板５の四隅に同高にて添接した状態となる。【００２２】  １６、１７は一対のスピーカ側押止カバーで、スピーカ側係止板５の上部及び下部を内側から押さえた状態でメネジ筒１５にネジ付けられることにより、スピーカ側係止板５を固定する役目を果たす。【００２３】  １８、１９は一対の本体側押止カバーで、本体側係止板４の上部及び下部に内側から当てがわれ、その当接面とプレート２０との間において本体側係止板４の上部及び下部を挟持する。プレート２０は、本体側押止カバー１８、１９にネジ止めされる。なお、本体側押止めカバー１８、１９の上記当接面には、本体側係止板４に形成される位置決め孔１２に対応する突部２１が突設される。【００２４】  ２２は化粧枠で、スピーカユニット３とハンドセット本体１のスピーカ取付部との間に配置され、その隙間を充填する（図６参照）。【００２５】  なお、スピーカ取付部材２によるスピーカユニット取付方法は、上述したものに限らず、スピーカ取付部材２を側方から固定手段７、８にスライドさせて結合する方法、あるいは、接着による方法、その他任意の方法を採り得ることはいうまでもないところである。【００２６】  図７は本発明に係る骨伝導型ハンドセットにおけるアイソレーション性能の、また、図８は従来の骨伝導型ハンドセットにおけるアイソレーション性能の確認試験の結果をそれぞれ示すグラフである。これらのグラフにおける上側のグラフは、スピーカにある入力を入れたときのスピーカ特性を示し、下側のグラフは、その際にマイクロホンに漏れ込んだ出力（マイク出力）特性を示しており、上下のグラフの差が大きい程アイソレーションが大きい、即ち、ハウリングし難いことを意味している。【００２７】  これらのグラフから明らかなように、この例では、本発明によった場合には従来の場合より約２０ｄＢ改善されており、本発明の有効性を十分に確認することができる。【００２８】  この発明をある程度詳細にその最も好ましい実施態様について説明してきたが、この発明の精神と範囲に反することなしに広範に異なる実施態様を構成することができることは明白なので、この発明は添付請求の範囲において限定した以外はその特定の実施態様に制約されるものではない。
【図面の簡単な説明】
【００２９】［図１］本発明に係る骨伝導型ハンドセットの一実施例の側面図である。
［図２］本発明に係る骨伝導型ハンドセットの一実施例の分解斜視図である。
［図３］本発明に係る骨伝導型ハンドセットにおけるスピーカ取付部材の形状例を示す図である。
［図４］本発明に係る骨伝導型ハンドセットにおけるスピーカユニットの取付方法を示すための分解斜視図である。
［図５］本発明に係る骨伝導型ハンドセットにおけるスピーカ取付部材の形状例を示す斜視図である。
［図６］本発明に係る骨伝導型ハンドセットにおけるスピーカユニットの取付状態を示す図である。
［図７］本発明に係る骨伝導型ハンドセットのアイソレーション性能を示すグラフである。
［図８］従来の骨伝導型ハンドセットのアイソレーション性能を示すグラフである。
［図９］従来の骨伝導型ハンドセットの構成例を示す図である。
【図１】
0004276675.tif 000002
【図２】
0004276675.tif 000003
【図３】
0004276675.tif 000004
【図４】
0004276675.tif 000005
【図５】
0004276675.tif 000006
【図６】
0004276675.tif 000007
【図７】
0004276675.tif 000008
【図８】
0004276675.tif 000009
【図９】
0004276675.tif 000010